(57)【要約】【課題】マニュアルによる予約設定を行う場合は、使用者がその都度番組を確認して予約設定することは大変な作業である。また、キーワード検索においてはキーワードの設定を番組ごとに事前に行う必要があり、突然の放送時間の変化に対応することが出来なかった。この発明は、多数の番組の中から容易に必要な番組を容易に予約することが可能な番組予約方法、予約機能付電子機器およびプログラムを提供する。【解決手段】過去の使用履歴に対して、使用状況によって使用態様毎に重み付けを行った使用情報を記憶する使用情報記憶過程と、前記使用情報を前記重み付けに従って検索し、検索結果を表示する表示過程（ＳＰ１０３）と、前記検索結果の中から希望の使用態様を選択して使用の予約を行う予約選択過程（ＳＰ１０４）とを有する。【選択図】　図２
2004080503.tif 000002
【特許請求の範囲】
【請求項１】
過去の使用履歴に対して、使用状況によって使用態様毎に重み付けを行った使用情報を記憶する使用情報記憶過程と、
前記使用情報を前記重み付けに従って検索し、検索結果を表示する表示過程と、
前記検索結果の中から希望の使用態様を選択して使用の予約を行う予約選択過程と
を有することを特徴とする番組予約方法。
【請求項２】
第１または第２の予約方式の中から何れかの予約方式を選択する選択過程と、
前記第１の予約方式が選択されたことを条件として、請求項１記載の番組予約方法を実行する過程と、
前記第２の予約方式が選択されたことを条件として、キーワードを入力するキーワード入力過程と、
放送信号に含まれる番組キーワードと前記入力したキーワードとの一致により、番組を検索し使用の予約を行うことを可能とする番組検索過程と
を有することを特徴とする番組予約方法。
【請求項３】
前記使用情報記憶過程は、使用者が過去にテレビ番組を視聴あるいは録画した番組に、視聴回数あるいは録画回数によって番組ごとに重み付けした番組情報を記憶するものであり、
前記表示過程は、前記記憶された番組情報を重み付け順に検索し、検索結果を表示するものであり、
前記予約選択過程は、前記検索結果の中から録画する番組を選択して録画予約を行うものである
ことを特徴とする請求項１記載の番組予約方法。
【請求項４】
請求項１あるいは２の何れかに記載の番組予約方法を実行することを特徴とする予約機能付電子機器。
【請求項５】
請求項１あるいは２の何れかに記載の番組予約方法を実行させることを特徴とするプログラム。
【発明の詳細な説明】
【０００１】
【発明の属する技術分野】
本発明は、テレビの録画装置に用いて好適な番組予約方法、予約機能付電子機器およびプログラムに関する。
【０００２】
【従来の技術】
ビデオの録画をする場合においては、膨大な番組の中から、ユーザは事前に好みの番組を選択して、放送チャンネル、放送時間を確認してマニュアルによる予約設定を行っていた。
また、特許公報　特開２０００−４８０２９には、番組検索のためのキーワード情報を設定して、該キーワード情報に時間帯および地域に応じた重み付けを設定し番組検索に優先順位を付けた技術が開示されている。
さらに、特許公報　特開平１０−１６４４７１には、ネットワークまたはＣＤ−ＲＯＭから番組情報を読み込みキーワードによって予約する番組を選択する技術が開示されている。
【０００３】
【発明が解決しようとする課題】
ところで、マニュアルによる予約設定を行う場合は、特に、ＢＳ／ＣＳ放送あるいはケーブルテレビは多数のチャンネルを有するため使用者がその都度番組を確認して予約設定することは大変な作業である。
また、キーワード検索においてはキーワードの設定を番組ごとに事前に行う必要があり、煩雑な手続きが必要であり、突然の放送時間の変化に対応することが出来なかった。
この発明は、上述した事情に鑑みてなされたものであり、多数の番組の中から容易に必要な番組を予約することが可能な番組予約方法、予約機能付電子機器およびプログラムを提供することを目的とする。
【０００４】
【課題を解決するための手段】
上記課題を解決するため本発明にあっては、下記の構成を特徴とする。
なお、括弧内は例示である。
請求項１記載の番組予約方法にあっては、過去の使用履歴に対して、使用状況によって使用態様毎に重み付けを行った使用情報を記憶する使用情報記憶過程と、前記使用情報を前記重み付けに従って検索し、検索結果を表示する表示過程と、前記検索結果の中から希望の使用態様を選択して使用の予約を行う予約選択過程とを有することを特徴とする。
さらに、請求項２記載の番組予約方法にあっては、第１または第２の予約方式の中から何れかの予約方式を選択する選択過程と、前記第１の予約方式が選択されたことを条件として、請求項１記載の番組予約方法を実行する過程と、前記第２の予約方式が選択されたことを条件として、キーワードを入力するキーワード入力過程と、放送信号に含まれる番組キーワードと前記入力したキーワードとの一致により、番組を検索し使用の予約を行うことを可能とする番組検索過程とを有することを特徴とする。
なお、請求項１記載の番組予約方法にあっては、前記使用情報記憶過程は、使用者が過去にテレビ番組を視聴あるいは録画した番組に、視聴回数あるいは録画回数によって番組ごとに重み付けした番組情報を記憶するものであり、前記表示過程は、前記記憶された番組情報を重み付け順に検索し、検索結果を表示するものであり、前記予約選択過程は、前記検索結果の中から録画する番組を選択して録画予約を行うものであることを特徴としてもよい。
さらに請求項４記載の予約機能付電子機器（録画機器）にあっては、請求項１あるいは２の何れかに記載の番組予約方法を実行することを特徴とする。
さらに請求項５記載のプログラムにあっては、請求項１あるいは２の何れかに記載の番組予約方法を実行させることを特徴とする。
【０００５】
【発明の実施の形態】
１．　　　予約機能付電子機器の構成
次に、本発明の一実施形態である予約機能付電子機器（録画機器）の構成を図１を参照し説明する。
１０はモニター制御部であり、映像データ、音声データを映像／音声信号に変換する。２０はＢＳ／ＣＳチューナーであり、ＢＳ／ＣＳ放送のチャンネルを選局し、デジタル映像データ、音声データにデコードする。３０はＤＶＤ制御部であり、該デジタル映像データ等をＤＶＤ−ＲＡＭ記録媒体に記録し、記録された信号を再生する。４０はＨＤＤ制御部であり、ハードディスクにデジタル映像データ等を記録し、再生する。ハードディスクはＤＶＤと異なり、記録媒体の取り出しは不能であるが、大容量の記録容量を有している。５０はＣＰＵであり、予約機能付電子機器全体を制御する。すなわち、時間の管理、予約録画機能の管理、番組情報、視聴者の過去の視聴情報、視聴者が登録・選択したキーワード情報のメモリへの保存管理、ユーザインターフェース全般を管理する。６０はフラッシュＲＯＭであり、ＣＰＵを制御するプログラムのみならず、映像信号の帰線期間内に送られてくる番組情報、視聴者の過去の視聴情報、視聴者が登録・選択したキーワード、優先順位などの検索情報が記録される。７０はＲＡＭであり、ＣＰＵ５０のワークメモリとして用いられる。８０はＩ／Ｏ部であり赤外線インターフェースにより、リモコン操作可能である。９０はバスラインであり、各部を接続する。
【０００６】
１００は本実施形態の予約機能付電子機器（録画機器）であり、上述したモニター制御部１０、ＢＳ／ＣＳチューナー２０、　ＤＶＤ制御部３０、ＨＤＤ制御部４０、ＣＰＵ５０、フラッシュＲＯＭ６０、ＲＡＭ７０、Ｉ／Ｏ部８０から構成される。２００はテレビ受像器であり、放送電波のみならず、モニター制御部１０による映像／音声信号により映像を受像し、音声を放音する。３００はパラボラアンテナであり、ＢＳ／ＣＳチューナー２０に接続され、放送衛星からの電波を受信する。
【０００７】
２．　本実施形態の動作
本実施形態の予約機能付電子機器１００は、ＢＳ／ＣＳ放送をパラボラアンテナ３００で受信する。そして、ＢＳ／ＣＳチューナー２０によって、受信電波が映像データ、音声データに変換される。そして、そのデータがモニター制御部１０によって映像信号に変換され、テレビ受像器２００によって映像化される。一方、ＢＳ／ＣＳチューナー２０によって、受信・変換された映像データ、音声データをＤＶＤ媒体あるいはハードディスクに記録し、該データを再生後、モニター制御部１０によって映像信号に変換することも出来る。この受信記録の際、予め番組を予約することが可能であり、マニュアルモード、学習モードあるいは自動モードが選択される。これらの選択は、モニター制御部１０を介したテレビ受像器２００での表示およびＩ／Ｏ部８０での操作によって行われる。
【０００８】
（１）マニュアルモード
マニュアルモードは、ユーザが予め録画したい番組のチャンネル・時間帯等の情報が判明している場合に、ピンポイントに設定されるモードである。ユーザが録画開始日時、録画終了時刻、放送チャンネルを設定し、予約録画開始設定を「ＯＮ」にする。
【０００９】
（２）学習モード
ユーザの過去の視聴状況を記憶しておき、該情報をもとに番組検索が行われ、その中からユーザは録画したい番組を選択する。ユーザは番組検索が簡単になると共に、見たい番組が重なってもそのときの状況で柔軟に対応できる。特に、ＢＳ／ＣＳ放送は地上波放送に対してユーザの嗜好性が大きく影響するので有用である。
▲１▼事前設定
ユーザの嗜好性・趣味感を測定するため、番組情報に対して、以下のようなコード化がされる。「番組コード」は、放送日、放送時間、チャンネル、番組によって構成される。「内容コード」は、邦画、洋画、サッカー、野球、教養、などのジャンルによってコード化される。「キャラクタコード」は、俳優名、チーム名、選手名、科目などによってコード化される。また、キャラクタコードは、各番組に対して複数作成されることがある。なお、それぞれのコードは、固定ビットで数値化される。
ある一定時間以上視聴された番組について、内容コード、キャラクタコードに対してポイント（重み付け）が与えられ、この情報はフラッシュＲＯＭ６０に逐次保存される。なお、このポイントをリセットすることも可能である。これらのコード化された番組情報は、映像信号の帰線期間内等に放送局より送信・更新され、フラッシュＲＯＭ６０に蓄積される。
【００１０】
▲２▼　学習モードでの動作
学習モードに設定された場合、ポイントが高いキャラクタコードを含む番組名が自動的に検索され、テレビ画面上に表示される。学習モードでの一連のフローを図２を参照して説明する。
ステップＳＰ１０１においては、最大録画可能時間の確認が行われる。最大録画可能時間は、内蔵ハードディスク、ＤＶＤの容量と録画モードとで決定される。ここで、録画モードとは、標準モードあるいは倍速モード等のことである。そして、処理はステップＳＰ１０２に進む。
【００１１】
ステップＳＰ１０２において、ユーザーが予約録画モードを「学習モード」に設定する。そして、ステップＳＰ１０３に進む。ステップＳＰ１０３においては、ポイントの高いキャラクタコードを含む番組がポイント順に所定数だけ自動的に検索され、処理はステップＳＰ１０４に進む。
【００１２】
ステップＳＰ１０４においては、検索された結果の中から録画予約すべき番組をユーザが選択する。この際、複数の番組が選択されることがある。そしてステップＳＰ１０５に進む。ステップＳＰ１０５においては、ユーザが予約録画設定を「ＯＮ」にすることにより、録画開始の指示を行い、処理はステップＳＰ１０６に進む。
【００１３】
ステップＳＰ１０６においては、録画開始時刻まで待機する。ここで、複数の予約がされていた場合には、最先の録画開始時刻に到達するまで待機する。録画開始時刻に到達すると、処理はステップＳＰ１０７に進む。
【００１４】
ステップＳＰ１０７においては、録画が開始される。衛星放送から受信した電波がＢＳ／ＣＳチューナーを介して、映像データ、音声データに変換され、ハードディスクあるいはＤＶＤ記録媒体に記録される。そして、録画終了時刻に到達することにより、処理はステップＳＰ１０８に進み、録画の終了処理が行われる。そして、処理はステップＳＰ１０９に進む。
【００１５】
ステップＳＰ１０９においては、予約録画の終了が判定される。複数の番組予約がされており、次の録画を開始する必要がある場合は、「ＮＯ」と判定され、処理はステップＳＰ１０６に進む。一方、予約録画の全てが終了した場合には、「ＹＥＳ」と判定され、本フローが終了する。
【００１６】
▲３▼自動モード
自動モードとは、視聴者が予約画面のＯＮ／ＯＦＦ設定と、予約録画すべき番組に対するキーワードの登録あるいは選択とを行うモードである。なお、キーワードは同期信号の帰線期間を利用して番組情報として、放送局より放送信号に含めて送信されている。それ故、突然の放送時間の変更（たとえば、野球放送の延長による放送時間の変更）により、番組情報が変化しても対応することが出来る。以下、自動モードのフローを図３を参照して説明する。
ステップＳＰ２０１においては、最大録画可能時間の確認が行われる。これは、内蔵ハードディスクあるいはＤＶＤ記録媒体の空き容量と録画モードとで決定される。そして、処理はステップＳＰ２０２に進む。
【００１７】
ステップＳＰ２０２においては、ユーザが予約録画モードを「自動モード」に設定する。そして、処理はステップＳＰ２０３に進む。
【００１８】
ステップＳＰ２０３においては、好みの番組のキーワードを一つあるいは複数登録または選択する。この際、すでに登録されているキーワードであれば、テレビ画面上で選択することが可能であるが、新たなキーワードであれば登録する必要がある。キーワードの入力はテレビ画面上に、カナ文字入力用ボタンが表示され入力が行われる。登録内容が複数ある場合は、放送時間が重なった場合を考慮して優先順位を設定しておく。そして、処理はステップＳＰ２０４に進む。
【００１９】
ステップＳＰ２０４においては、ユーザが予約録画開始設定を「ＯＮ」にし、録画開始の指示を行う。そして、処理はステップＳＰ２０５に進む。
【００２０】
ステップＳＰ２０５においては、登録したキーワードに当てはまる番組で開始時刻が現時刻にもっとも近いものを自動的に検索する。この際、番組コードをみて録画済みのものは除外される。放送時刻が重なった場合は、優先順位によって決定される。そして、処理はステップＳＰ２０６に進む。
【００２１】
ステップＳＰ２０６においては、番組時間と録画可能時間とを比較し、録画可能か否かが判定される。番組時間が録画可能時間よりも短く、録画可能であれば、処理はステップＳＰ２０８に進む。一方、番組時間の方が録画可能時間よりも長く録画不可能であれば、再びステップＳＰ２０５に戻り、放送時間が短い他の番組を検索する。ただし、録音可能時間が一定時間未満になると、処理はステップＳＰ２０７において録画予約の処理を終了する。
【００２２】
ステップＳＰ２０８においては、番組開始時刻まで処理が待機し、しかる後に処理はステップＳＰ２０９に進む。ステップＳＰ２０９ににおいては、番組録画が開始され所定の終了時刻に処理はステップＳＰ２１０に進み、番組録画の終了処理がされる。そして、ステップＳＰ２０５に戻り、新たな番組予約がされる。
【００２３】
３．変形例
本発明は上述した実施形態に限定されるものではなく、例えば以下のように種々の変形が可能である。
（１）上記実施形態は、ＴＶ放送・衛星放送の録画予約について詳述したが、これに限定されることなく、ラジオ放送の録音予約、カラオケの選曲予約、電子レンジの加熱時間設定についても適用可能である。
（２）上記実施形態においては、フラッシュＲＯＭ６０に記憶されたプログラムによって録画予約する機能を実現したが、例えばパーソナルコンピュータ上で動作するアプリケーションプログラムによっても同様の機能を実現することができる。このアプリケーションプログラムのみをＣＤ−ＲＯＭ、フレキシブルディスク等の記憶媒体に格納して頒布し、あるいは電気通信回線を通じて頒布してもよい。
【００２４】
【発明の効果】
以上説明したように請求項１に係る発明によれば、使用状況によって使用態様毎に重み付けを行った使用情報に従って検索され、検索結果が表示されるので使用予約の選択が容易である。また、請求項２に係る発明によれば、放送信号に含まれる番組キーワードを用いて番組を検索するので、突然の放送時間の変化に対応することも可能である。
【図面の簡単な説明】
【図１】本発明の一実施形態である予約機能付電子機器の構成図である。
【図２】学習モードのフローチャートである。
【図３】自動モードのフローチャートである。
【符号の説明】
１０…モニター制御部、２０…ＢＳ／ＣＳチューナー、３０…ＤＶＤ制御部、４０…ＨＤＤ制御部、５０…ＣＰＵ、６０…フラッシュＲＯＭ、７０…ＲＡＭ、８０…Ｉ／Ｏ部、９０…バスライン、１００…予約機能付電子機器（録画機器）、２００…テレビ受像器、３００…パラボラアンテナ
【図１】
2004080503.tif 000003
【図２】
2004080503.tif 000004
【図３】
2004080503.tif 000005